(57)【要約】【課題】プリンタ本体側の吸引ファンと開閉蓋側の吸引プラテンの間を短い吸引流路を介して接続できるようにしたインクジェットプリンタを提案すること。【解決手段】プラテン８はロール紙収納部７の開閉蓋３ａの開閉とともに移動する。プラテン８は吸引プラテンであり、プラテン８側に吸引区画３２、吸引孔３３およびプラテン側空気通路３６からなる吸引部を備え、プリンタ本体２側に吸引ファン３４と、この吸引ファン３４とプラテン８の吸引部とを接続する吸引ダクト３５を備える。開閉蓋３ａとともにプラテン８が移動すると吸引ダクト３５がプラテン８の吸引部から切り離されるようになっているので、吸引ダクト３５は、開閉蓋３ａが閉じている場合における吸引ファン３４の吸引口とプラテン８の吸引部の距離に対応する短い長さのものでよい。従って、吸引流路を短くできるので、吸引空気の流路損失を低減でき、吸引ファン３４の大型化を回避できる。【選択図】図４
2010253959.tif 000002
【特許請求の範囲】
【請求項１】
プリンタ本体に開閉可能に取り付けられている開閉蓋と、
当該開閉蓋に搭載されており、記録紙を吸引するための吸引部を備えた吸引プラテンと、
前記プリンタ本体に取り付けられている吸引ファンと、
前記吸引ファンの吸引口を前記吸引プラテンの前記吸引部に対し、接続及び切り離し可能な吸引流路を有していることを特徴とするインクジェットプリンタ。
【請求項２】
請求項１に記載のインクジェットプリンタにおいて、
前記吸引流路は吸引ダクトを含み、
前記開閉蓋を開くと、前記吸引ダクトは前記吸引口から切り離されることを特徴とするインクジェットプリンタ。
【請求項３】
請求項１または２に記載のインクジェットプリンタにおいて、
前記プリンタ本体に形成されたロール紙収納部を有し、
前記開閉蓋は当該ロール紙収納部を開閉するための開閉蓋であることを特徴とするインクジェットプリンタ。
【請求項４】
請求項２または３に記載のインクジェットプリンタにおいて、
前記吸引プラテンの前記吸引部は、前記開閉蓋を閉じると前記吸引ダクトのダクト開口端に当接するプラテン側開口端を備えていることを特徴とするインクジェットプリンタ。
【請求項５】
請求項４に記載のインクジェットプリンタにおいて、
前記ダクト開口端と前記プラテン側開口端は、シール材を介して当接することを特徴とするインクジェットプリンタ。
【請求項６】
請求項３から５のいずれかに記載のインクジェットプリンタにおいて、
前記開閉蓋は前記プリンタ本体の前面において下端を中心として前後に開閉可能に取り付けられており、
前記吸引プラテンの前記吸引部における前記プラテン側開口端は、当該吸引プラテンの側方の部位に形成されており、
前記吸引ダクトは、前記ロール紙収納部の側方において前記プリンタ本体の側面に沿って配置されており、
前記吸引ファンは、前記プリンタ本体の後面に配置されていることを特徴とするインクジェットプリンタ。
【請求項７】
請求項６に記載のインクジェットプリンタにおいて、
前記吸引プラテンによって規定される印刷領域を往復移動するシリアル型のインクジェットヘッドを有しており、
前記吸引プラテンの前記吸引部における前記プラテン側開口端は、前記印刷領域から側方に外れた位置に形成されていることを特徴とするインクジェットプリンタ。
【請求項８】
請求項７に記載のインクジェットプリンタにおいて、
前記インクジェットヘッドから発生するインクミストを回収するための吸引機構を備え、前記吸引機構は前記吸引ファンに接続されていることを特徴とするインクジェットプリンタ。
【発明の詳細な説明】
【技術分野】
【０００１】
本発明は、記録紙を吸引しながら搬送する吸引プラテンを備えたインクジェットプリンタに関し、さらに詳しくは、吸引プラテンが搭載されている開閉蓋を開けると記録紙の搬送路が開放状態になるインクジェットプリンタに関する。
【背景技術】
【０００２】
ロール紙などの連続紙に印刷を行うインクジェットプリンタでは、プラテン上を搬送される連続紙が浮き上がってインクジェットヘッドのノズル面に干渉することの無い様に、吸引プラテンを備えたものが提案されている。特許文献１には、表面に記録紙を吸引するための多数の吸引孔を備えた吸引プラテンを備えたプリンタが開示されている。
【０００３】
また、ロール紙に印刷を行うインクジェットプリンタでは、ロール紙交換時などにおいて、ロール紙収納部に収納したロール紙から繰り出される記録紙をインクジェットヘッドとプラテンの間、紙送りローラと押えローラの間などを通して排出口から引き出した状態にセットする記録紙セット作業が必要である。この記録紙セット作業を簡単に行うことが出来るように、ロール紙収納部の開閉蓋を開けると、記録紙の搬送路も開放状態に切り替わる構成のプリンタが提案されている。かかる構成のプリンタは特許文献２に開示されている。
【先行技術文献】
【特許文献】
【０００４】
【特許文献１】特開２００２−２６４４１４号公報
【特許文献２】特開２００６−２４８０４０号公報
【発明の概要】
【発明が解決しようとする課題】
【０００５】
ここで、開閉蓋を開けると記録紙の搬送路が開放状態に切り替わるインクジェットプリンタでは、インクジェットヘッドに対峙しているプラテンが開閉蓋の側に搭載されている。開閉蓋に吸引プラテンを搭載する場合には、プリンタ本体に配置されている固定側の吸引ファンの吸引口と、移動側の吸引プラテンとの間を吸引ダクトによって接続する必要がある。このため、開閉蓋の開閉に伴って変動する吸引プラテンと吸引ファンの間の距離に追従できる十分な長さの可撓性の吸引ダクトを配置するか、あるいは、開閉による長さ変動の影響を受けないように、吸引ダクトを、開閉蓋の開閉中心位置を経由する経路に沿って引き回すことが必要である。いずれの場合においても、吸引ダクトが長くなってしまうので、吸引ダクトを経由する吸引流路の流路抵抗が増加し、吸引力の損失が大きくなる。このため、比較的容量の大きな吸引ファンを配置する必要があり、プリンタの小型、低コスト化には不利である。
【０００６】
本発明の課題は、プリンタ本体側の吸引ファンと開閉蓋側の吸引プラテンの間を短い吸引流路を介して接続できるようにしたインクジェットプリンタを提案することにある。
【課題を解決するための手段】
【０００７】
上記の課題を解決するために、本発明のインクジェットプリンタは、
プリンタ本体に開閉可能に取り付けられている開閉蓋と、
当該開閉蓋に搭載されており、記録紙を吸引するための吸引部を備えた吸引プラテンと、
前記プリンタ本体に取り付けられている吸引ファンと、
前記吸引ファンの吸引口を前記吸引プラテンの前記吸引部に対し、接続及び切り離し可能な吸引流路を有していることを特徴としている。
【０００８】
本発明では、開閉蓋を開けるのに伴って吸引プラテンが移動すると、吸引流路は吸引ファンの吸引口と吸引プラテンの吸引部とを切り離すことができる。また、開閉蓋を閉じるのに伴って吸引プラテンが元の位置に復帰すると、吸引流路は吸引ファンの吸引口と吸引プラテンの吸引部とを接続することができる。したがって、吸引流路は、開閉蓋が閉じている場合における吸引ファンの吸引口と吸引プラテンの吸引部の距離に対応する短い長さのものでよい。また、吸引流路を短くできるので、吸引空気の流路損失を低減でき、吸引ファンの大型化を回避できる。
【０００９】
本発明において、前記吸引流路は吸引ダクトを含み、前記開閉蓋を開くと、前記吸引ダクトは前記吸引口から切り離されることが望ましい。
【００１０】
本発明では、開閉蓋を開けると、固定した位置にある吸引ファンの吸引口と、移動側の開閉蓋に搭載されている吸引プラテンの吸引部とを接続している吸引ダクトが切り離される。したがって、吸引ダクトは、開閉蓋が閉じている場合における吸引ファンの吸引口と吸引プラテンの吸引部の距離に対応する短い長さのものでよい。また、当該吸引ダクトを経由して形成される吸引ファンから吸引プラテンまでの吸引流路を短くできるので、吸引空気の流路損失を低減でき、吸引ファンの大型化を回避できる。
【００１１】
ここで、プリンタ本体に形成されたロール紙収納部を有している場合には、前記開閉蓋は当該ロール紙収納部を開閉するための開閉蓋とされる。当該開閉蓋を開けると、ロール紙収納部に収納したロール紙から繰り出される記録紙の搬送路が開放状態に切り替わり、記録紙を搬送路にセットする作業を簡単に行うことができる。
【００１２】
また、本発明において、前記吸引ダクトを前記吸引ファンの前記吸引口に接続しておくことができる。この場合には、前記吸引プラテンの前記吸引部に、前記開閉蓋を閉じると前記吸引ダクトのダクト開口端に当接するプラテン側開口端を形成しておけばよい。吸引ダクトを開閉動作する吸引プラテンの側に取り付けておくと、開閉蓋の開閉時に当該吸引ダクトが他の部分に干渉しないようにスペースを確保しておく必要がある。プリンタ本体側の固定した位置に吸引ダクトを配置しておくことにより、開閉蓋の開閉に必要なスペースの増加を回避でき、プリンタの小型化に有利である。
【００１３】
また、吸引ダクトのダクト開口端をパッキンなどのシール材を介してプラテン側開口端に当接させることにより、気密状態となるようにすることができ、空気漏れを回避あるいは低減でき、吸引プラテンによる吸引特性を良好な状態に維持できる。
【００１４】
さらに、前記開閉蓋がプリンタ本体の前面において下端を中心として前後に開閉可能に取り付けられている場合には、前記プラテン側開口端を、吸引プラテンの側方の部位に形成し、前記吸引ダクトを、ロール紙収納部の側方においてプリンタ本体の側面に沿って配置し、吸引ファンを、プリンタ本体の後面に配置することができる。
【００１５】
特に、吸引プラテンによって規定される印刷領域を往復移動するシリアル型のインクジェットヘッドを備えたシリアル型のインクジェットプリンタの場合には、吸引プラテンの側方には、インクジェットヘッドを搭載したキャリッジの移動範囲を確保するためのスペースが必要になる。このスペースの後側のプリンタ内部の部位にはデッドスペースができる。したがって、プラテン側開口端を印刷領域から側方に外れた位置に形成し、この後側に吸引ダクトを配置すれば、プリンタ内部のデッドスペースを有効利用できる。
【００１６】
また、本発明のインクジェットプリンタは、前記インクジェットヘッドから発生するインクミストを回収するための吸引機構が構成され、前記吸引機構は前記吸引ファンに接続されていることを特徴とする。したがって、プリンタの部品効率とスペース効率を高めることができる。
【発明の効果】
【００１７】
本発明のインクジェットプリンタでは、吸引プラテンが搭載されている開閉蓋を開けると、吸引プラテンの吸引部とプリンタ本体側の吸引ファンの吸引口との間を接続している吸引流路、例えば、吸引ダクトが切り離されるようになっている。したがって、吸引ダクトは開閉蓋が閉じている状態における吸引プラテンの吸引部と吸引ファンの吸引口の間の距離に対応する長さのものでよい。よって、吸引流路の流路抵抗を低減できるので、比較的容量の小さな吸引ファンが使用可能であり、プリンタの大型化を抑制できる。
【図面の簡単な説明】
【００１８】
【図１】本発明を適用したロール紙プリンタの外観斜視図である。
【図２】ロール紙プリンタの開閉蓋を開けた状態を示す外観斜視図である。
【図３】ロール紙プリンタの内部構造を示す概略縦断面図である。
【図４】プラテン、空気通路、吸引ファンを取り出して示す斜視図である。
【図５】ロール紙収納部の側方に配置されている空気通路を示す概略縦断面図である。
【図６】開閉蓋ユニットを僅かに開けた状態の概略側面図である。
【発明を実施するための形態】
【００１９】
以下に、図面を参照して、本発明を適用したロール紙プリンタの実施の形態を説明する。
【００２０】
（全体構成）
図１は本発明を適用したインクジェット式のロール紙プリンタ１の外観斜視図であり、図２はその開閉蓋を全開にした状態の外観斜視図である。ロール紙プリンタ１は全体としてほぼ直方体形状をしたプリンタ本体２と、プリンタ本体２の前面に取り付けた開閉蓋ユニット３とを有している。開閉蓋ユニット３は、開閉蓋３ａと、この開閉蓋３ａの開閉機構とを備えている。プリンタ本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。外装ケース２ａにおける排紙ガイド５および蓋開閉レバー６の下側には、ロール紙出し入れ用の矩形の開口部２ｂが形成されており、この開口部２ｂが開閉蓋３ａによって封鎖されている。
【００２１】
蓋開閉レバー６を操作すると開閉蓋ユニット３のロックが解除される。ロック解除後、開閉蓋ユニット３に搭載されている排紙ガイド５を前方に引くと、図２に示すように、開閉蓋ユニット３が下端部を中心として前方にほぼ水平となるまで開く。開閉蓋ユニット３が開くと、プリンタ本体２の内部に形成されているロール紙収納部７が開放状態となり、同時に、印刷位置を規定しているプラテン８が開閉蓋ユニット３と一緒に移動して、ロール紙収納部７から記録紙排出口４に到る記録紙搬送経路が開放状態となり、プリンタ前方からロール紙の交換作業などを簡単に行うことができるようになっている。なお、図２においては、開閉蓋ユニット３の開閉蓋３ａおよび蓋開閉レバー６を省略してある。
【００２２】
（内部構成）
図３はロール紙プリンタの内部構成を示す概略縦断面図であり、ロール紙収納部７をプリンタ右側面の側から見た場合のものである。ロール紙プリンタ１の内部には、プリンタ本体フレーム１０における幅方向の中央部分にロール紙収納部７が形成されている。ロール紙収納部７にはロール紙１１の中心軸がプリンタ幅方向に向いた横置き状態で収納される。
【００２３】
ロール紙収納部７の上側には、プリンタ本体フレーム１０の上端にヘッドユニットフレーム１２が水平に取り付けられている。ヘッドユニットフレーム１２には、インクジェットヘッド１３、インクジェットヘッド１３を搭載しているキャリッジ１４、キャリッジ１４のプリンタ幅方向への移動をガイドするキャリッジガイド軸１５が配置されている。インクジェットヘッド１３はインクノズル面１３ａが下向きになるようにキャリッジ１４に搭載されている。キャリッジガイド軸１５はプリンタ幅方向に水平に架け渡されており、ヘッドユニットフレーム１２には、キャリッジ１４をキャリッジガイド軸１５に沿って往復移動させるためのキャリッジモータ１６およびタイミングベルト１７を備えたキャリッジ搬送機構が配置されている。
【００２４】
インクジェットヘッド１３の下側にはプリンタ前後方向に水平に延びるプラテンフレーム１８が配置されている。プラテンフレーム１８にはプラテン８がプリンタ幅方向に水平に取り付けられている。プラテン８は、インクジェットヘッド１３に一定のギャップで対峙する当該位置においてインクジェットヘッド１３の印刷位置を規定している。
【００２５】
プラテンフレーム１８の後端には下方に湾曲しているテンションガイド２０が取り付けられている。テンションガイド２０はバネ力によって上方に付勢されており、ロール紙収納部７に収納されているロール紙１１から引き出された記録紙１１ａは、テンションガイド２０によって所定の張力が付与された状態で印刷位置を経由する記録紙搬送経路に沿って引き出される。
【００２６】
プラテン８の後側には、後側紙送りローラ２１がプリンタ幅方向に水平に架け渡されている。後側紙送りローラ２１には所定幅の後側紙押えローラ２２が所定の押圧力で押し付けられている。プラテン８の前側には、前側紙送りローラ２３が配置されている。前側紙送りローラ２３には、上側から前側紙押えローラ２４が押し付けられている。後側紙送りローラ２１および前側紙送りローラ２３は、プリンタ本体フレーム１０に搭載されている紙送りモータ２５によって駆動される。プラテン８、テンションガイド２０、後側紙送りローラ２１および前側紙送りローラ２３は開閉蓋ユニット３が開閉されると、開閉蓋３ａと一緒に移動する。
【００２７】
ここで、プラテン８はその表面８ａに記録紙１１ａを吸引することができる吸引プラテンである。プラテン８およびプリンタ本体２には記録紙１１ａをプラテン８の表面８ａに吸引するための記録紙吸引機構が構成されている。記録紙吸引機構の詳細は後述する。
【００２８】
ロール紙１１から繰り出された記録紙１１ａの部分はプラテン８の表面８ａに吸引された状態で搬送されて印刷位置を通過する。印刷位置ではキャリッジ１４をキャリッジガイド軸１５に沿って往復移動させながら、そこに搭載されているインクジェットヘッド１３により印刷が行われる。記録紙１１ａの幅方向への一連の行印刷が終了した後は、後側紙送りローラ２１および前側紙送りローラ２３が回転駆動されて、所定ピッチだけ記録紙１１ａが送り出される。この後に、次の行の印刷が行われる。このように、記録紙１１ａは、所定ピッチで間欠的に送り出されながらインクジェットヘッド１３によって印刷が施される。印刷後の記録紙１１ａが排出される記録紙排出口４には、例えば鋏式の記録紙切断装置２５が配置されている。記録紙切断装置２５によって、これらの間に位置する記録紙１１ａが幅方向に切断される。
【００２９】
（記録紙吸引機構）
図４および図５を参照して記録紙吸引機構を説明する。図４はプラテン８およびプリンタ本体２に構成されている記録紙吸引機構部分を取り出して示した部分斜視図である。図５はロール紙収納部７の側方部分をプリンタ左側面の側から見た概略縦断面図である。いずれも開閉蓋ユニット３は閉じられた状態であり、プラテン８は印刷位置を規定している。
【００３０】
プラテン８はプリンタ幅方向に長い扁平な直方体形状をしており、往復移動するインクジェットヘッド１３のプリンタ幅方向の印刷領域を規定している。記録紙吸引機構は、プラテン８に形成されている吸引部と、プリンタ本体２に取り付けられている吸引ファン３４と、吸引ファン３４の吸引口をプラテン８の吸引部に接続しており、開閉蓋３ａを開くと切り離される吸引ダクト３５とを有している。吸引部はプラテン８の表面８ａにおいて複数のリブ３１によって仕切られている溝状の複数の吸引区画３２と、各吸引区画３２の底面３２ａに形成されている吸引孔３３と、プラテン８の内部を中空にして構成されており、吸引孔３３を介して吸引区画３２と連通しているプラテン側空気通路３６からなる。このように吸引流路は、吸引ファン３４から吸引ダクト３５を経由して、プラテン８に形成されている吸引部に至るように形成される。
【００３１】
プラテンフレーム１８におけるプラテン８の側方には、インクジェットヘッド１３を搭載したキャリッジ１４の移動範囲を確保するためのスペースを利用して、インクジェットヘッド１３から吐出されるインク液滴に起因して発生するインクミストを回収するインクミスト回収部２７が形成されている。インクミスト回収部２７の後端下側の部位、すなわち、印刷領域から側方に外れた位置にはプラテン側空気通路３６のプラテン側開口端３６ａが形成されている。プラテン側開口端３６ａは下方および背面側に向いて傾斜しており、そこにはパッキン３７（シール材）が取り付けられている。
【００３２】
吸引ファン３４はプリンタ本体フレーム１０の背板部分１０ａに取り付けられている。吸引ダクト３５は一方の開口端が吸引ファン３４の吸引口と繋がるように背板部分１０ａに取り付けられている。他方の開口端側はインクミスト回収部２７の後側において、ロール紙収納部７の側方をプリンタ本体２の側面に沿って前面側に向って延びた後に上方に向って折れ曲がったＬ字形状をしている。折れ曲がり部分の端部に形成されているダクト開口端３５ａは上方および前面に向いて傾斜しており、そこにはパッキン３８（シール材）が取り付けられている。吸引ダクト３５の幅寸法とインクミスト回収部２７の幅寸法とは略同一に構成されている。また、吸引ダクト３５の断面形状は矩形になっている。
【００３３】
背板部分１０ａの下端部分には、吸引ファン３４の排気口と繋がるように排気通路３９が取り付けられている。排気通路３９の排気口４０はプリンタ本体２の後側に向かって開口している。
【００３４】
図４、５に示すように、プラテン８が印刷位置を規定している状態ではプラテンフレーム１８がほぼ水平に保持され、プラテン側開口端３６ａおよびダクト開口端３５ａはパッキン３７、３８を介して気密状態で当接する。従って、プラテン８の表面８ａの吸引区画３２から吸引ファン３４を経由して排気口４０に至る空気流路が構成される。この状態で、吸引ファン３４が駆動されると各吸引区画３２から空気が吸い込まれて排気口４０から吹き出される。この結果、各吸引区画３２内には負圧が発生し、記録紙１１ａはプラテン８の表面８ａに吸引される。
【００３５】
なお、インクミスト回収部２７はインクミストを吸引するためのミスト吸引孔２７ａを備えており、このミスト吸引孔２７ａはプラテン側空気通路３６に連通している。従って、プラテン８の表面８ａへ記録紙１１ａを吸引するためのプラテン側空気通路３６、吸引ダクト３５および吸引ファン３４を利用して、インクミストを回収するための吸引機構が構成されている。
【００３６】
（開閉蓋ユニットの開閉機構）
次に、図２、図３および図６を参照して、開閉蓋ユニット３の開閉機構を説明する。図６は開閉蓋ユニットの開閉機構を示す概略側面図であり、開閉蓋ユニットを前方に引き出した状態を示す概略側面図である。なお、図６においては、開閉蓋ユニット３の開閉蓋３ａを省略してある。
【００３７】
開閉蓋ユニット３は４節の平行リンク機構によって開閉可能な状態でプリンタ本体２に支持されている。平行リンク機構は、図２、３に示すように、開閉蓋３ａが取り付けられている左右一対の前側平行リンク４１、４２と、左右一対の後側平行リンク４３、４４とを備えている。前側平行リンク４１、４２の間にはプリンタ幅方向に前板４５が架け渡されており、ここに、想像線で示すように開閉蓋３ａが取り付けられている。これらの前側平行リンク４１、４２の下端部は、それぞれ、プリンタ本体フレーム１０の底板部分１０ｂによって水平軸４６を中心に前後に回動自在に支持され、後側平行リンク４３、４４も底板部分１０ｂによって水平軸４７を中心に前後に回動自在に支持されている。
【００３８】
前側平行リング４１、４２の上端部は、プラテンフレーム１８の前端部に対して水平軸４８を中心に回動自在に連結されている。これに対して、後側平行リンク４３、４４の上端部と、プラテンフレーム１８の後端部との間は、上下に一定量だけ移動可能な状態で連結されている。本例では、プラテンフレーム１８の側に上下に長い長孔１８ａが形成されており、ここに、後側平行リンク４３、４４の上端部に取り付けた水平軸４９が回転可能およびスライド可能な状態で挿入されている。
【００３９】
図６に示すように、ロール紙収納部７の左側のプリンタ本体フレーム１０の側板部分１０ｃには、前方から後方に向けて上方に傾斜している位置決め用の傾斜段面１０ｄが形成されている。この傾斜段面１０ｄの中程の位置には位置決め用のガイドローラ５０（図５参照）が乗り上げている。このガイドローラ５０は、プラテンフレーム１８の左側の側面から横方に水平に突出しており、当該プラテンフレーム１８に回転自在の状態で取り付けられている。
【００４０】
開閉蓋ユニット３を閉じた状態においては、ガイドローラ５０が傾斜段面１０ｄに乗り上げることにより、プラテンフレーム１８がほぼ水平に保持され、ここに取り付けられているプラテン８が一定のギャップでインクジェットヘッド１３のノズル面に対峙して印刷位置を規定する。また、プラテン側空気通路３６のプラテン側開口端３６ａおよび吸引ダクト３５のダクト開口端３５ａは気密状態で当接する。
【００４１】
ここで、開閉蓋ユニット３を開閉すると、プラテンフレーム１８に搭載されているプラテン８、テンションガイド２０、後側紙送りローラ２１、前側紙送りローラ２３などの部品も一緒に開閉して前方に移動する。開閉蓋ユニット３は、前側平行リンク４１、４２の水平軸４６を中心として前方に倒れる。前側平行リンク４１、４２と、後側平行リンク４３、４４の間の架け渡されているプラテンフレーム１８も全体として前方および下方に移動する。この移動により、プラテンフレーム１８のガイドローラ５０が傾斜段面１０ｄに沿って滑り落ちる。
【００４２】
開閉蓋ユニット３を開くと、ロール紙収納部７から記録紙排出口４に至る記録紙の搬送路が開放状態に切り替わる。また、プラテン側空気通路３６と吸引ダクト３５との連結が解除される。図６の状態から開閉蓋ユニット３を更に空けると、図２に示すように、開閉蓋ユニット３を略前方に水平に倒した開き位置まで開くことができる。開き位置では、プラテンフレーム１８の側に前側平行リンク４１、４２および後側平行リンク４３、４４がほぼ水平に折り畳まれた状態になっている。
【００４３】
次に、開き位置にある開閉蓋ユニット３を閉じる場合の動作は上記とは逆の順番になる。すなわち、開閉蓋ユニット３が閉じる手前の時点においては、プラテンフレーム１８のガイドローラ５０がプリンタ本体フレーム１０の側板部分１０ｃに形成されている位置決め用の傾斜段面１０ｄに乗り上げ、ガイドローラ５０が傾斜段面１０ｄに係合してプラテンフレーム１８がほぼ水平な姿勢となるように位置決めされる。この結果、図３に示すように、プラテン８がインクジェットヘッド１３に一定のギャップで対峙して、印刷位置を規定する状態になり、また、プラテン側空気通路３６のプラテン側開口端３６ａおよび吸引ダクト３５のダクト開口端３５ａは気密状態で当接する。
【００４４】
（本形態の効果）
本例によれば、開閉蓋３ａを開けると、固定した位置にある吸引ファン３４の吸引口と、移動側の開閉蓋３ａに搭載されているプラテン８の吸引部とを接続している吸引ダクト３５が切り離される。したがって、吸引ダクト３５は、開閉蓋３ａが閉じている場合における吸引ファン３４の吸引口とプラテン８の吸引部の距離に対応する短い長さのものでよい。また、吸引ダクト３５を経由して形成される吸引ファン３４からプラテン８までの吸引流路を短くできるので、吸引空気の流路損失を低減でき、吸引ファン３４の大型化を回避できる。
【００４５】
また、吸引ダクト３５を開閉動作するプラテン８の側に取り付けておくと、開閉蓋３ａの開閉時に当該吸引ダクト３５が他の部分に干渉しないようにスペースを確保しておく必要があるが、本例では、吸引ダクト３５をプリンタ本体２側の固定した位置に配置してあるので、開閉蓋の開閉に必要なスペースの増加を回避でき、プリンタの小型化に有利である。
【００４６】
また、本例によれば、開閉蓋３ａを開けると、ロール紙収納部７に収納したロール紙１１から繰り出される記録紙１１ａの搬送路が開放状態に切り替わり、記録紙１１ａを搬送路にセットする作業を簡単に行うことができる。
【００４７】
また、本例によれば、吸引ダクト３５のダクト開口端３５ａをパッキン３７、３８などのシール材を介して気密状態となるようにプラテン側開口端３６ａに当接させているので、空気漏れを回避あるいは低減でき、プラテン８による吸引特性を良好な状態に維持できる。
【００４８】
また、シリアル型のインクジェットヘッド１３を備えたプリンタの場合には、印刷領域を規定しているプラテン８の側方には、インクジェットヘッド１３を搭載したキャリッジ１４の移動範囲を確保するためのスペースが必要になり、このスペースの後側のプリンタ内部の部位にはデッドスペースができる。本例では、プラテン側空気通路３６のプラテン側開口端３６ａはインクジェットヘッド１３の印刷領域から側方に外れた位置に形成されており、これに当接する吸引ダクト３５は、プラテン側開口端３６ａの後側において、ロール紙収納部７の側方においてプリンタ本体２の側面に沿って配置されているので、このデッドスペースを有効に利用できる。
【００４９】
また、インクジェットヘッド１３から発生するインクミストを回収するためのインクミスト回収部２７を含む吸引機構が構成される。この吸引機構はプラテン側空気通路３６、吸引ダクト３５および吸引ファン３４を利用して吸引ファンに接続されている。したがって、吸引するための部品を共通で使うことができ、部品効率とスペース効率を高めることができる。
【００５０】
（その他の実施の形態）
上記の例では、吸引ダクト３５はプラテン８に形成されている吸引部から切り離される構成を備えているが、吸引ダクト３５の途中において、プラテン８の吸引部に接続しているダクト部分と吸引ファン３４の吸引口に接続しているダクト部分とに切り離される構成を採用することもできる。
【００５１】
また、プラテン８としては、その表面８ａに直接に吸引孔３３が形成されている構成の吸引プラテンを採用することもできる。
【符号の説明】
【００５２】
１  ロール紙プリンタ、２  プリンタ本体、２ａ  外装ケース、２ｂ  開口部、３  開閉蓋ユニット、３ａ  開口蓋、４  記録紙排出口、５  排紙ガイド、６  蓋開閉レバー、７  ロール紙収納部、８  プラテン（吸引プラテン）、１０  プリンタ本体フレーム、１０ａ  背板部分、１０ｂ  底板部分、１０ｃ  側板部分、１０ｃ  傾斜段面、１１  ロール紙、１１ａ  記録紙、１２  ヘッドユニットフレーム、１３  インクジェットヘッド、１４  キャリッジ、１５  キャリッジガイド軸、１６  キャリッジモータ、１７  タイミングベルト、１８  プラテンフレーム、２０  テンションガイド、２１  後側紙送りローラ、２２  後側紙押えローラ、２３  前側紙送りローラ、２４  前側紙押えローラ、２５  紙送りモータ、２６  記録紙切断装置、２７  インクミスト回収部、３１  リブ、３２  吸引区画、３３  吸引孔、３４  吸引ファン、３５  吸引ダクト、３５ａ  ダクト開口端、３６  プラテン側空気通路、３６ａ  プラテン側開口端、３７，３８  パッキン、３９  排気通路、４０  排気口、４１，４２  前側平行リンク、４３，４４  後側平行リンク、４５  前板、４６，４７，４８，４９  水平軸、５０  ガイドローラ。
【図１】
2010253959.tif 000003
【図２】
2010253959.tif 000004
【図３】
2010253959.tif 000005
【図４】
2010253959.tif 000006
【図５】
2010253959.tif 000007
【図６】
2010253959.tif 000008
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
プリンタ本体と、
カバーと、
吸引ファンと、
吸引プラテンと、を備え、
前記プリンタ本体に前記吸引ファンを配置し、
前記カバーに前記吸引プラテンを配置することを特徴とするプリンタ。
【請求項２】
前記プリンタ本体に配置したインクジェットヘッドを備え、
前記カバーが閉じると、前記吸引プラテンが前記インクジェットヘッドと対向する位置へ移動することを特徴とする請求項１に記載のプリンタ。
【請求項３】
前記プリンタ本体に配置した紙収納部を備え、
前記カバーは前記紙収納部を開閉し、
前記吸引プラテンは前記紙収納部から供給される紙を吸引することを特徴とする請求項１または２に記載のプリンタ。
【請求項４】
前記吸引プラテンと前記吸引ファンの間に形成される吸引流路を備え、
前記カバーが開いた状態で、前記吸引流路が前記プリンタ本体側と前記カバー側に切り離され、
前記カバーが閉じた状態で、前記吸引流路が接続されることを特徴とする請求項１から３のいずれか１項に記載のプリンタ。
【請求項５】
前記吸引流路は、前記カバーが閉じると当接するプリンタ本体側開口部と開閉蓋側開口部を備え、
前記カバーが開くと前記プリンタ本体側開口部と前記開閉蓋側開口部が離れることを特徴とする請求項１から４のいずれか１項に記載のインクジェットプリンタ。
【請求項６】
前記吸引流路は、前記吸引プラテンの側方から前記紙収納部の側方を経由して形成されていることを特徴とする請求項４または５に記載のインクジェットプリンタ。
【請求項７】
前記吸引プラテンに設けられるもので、前記インクジェットヘッドから発生するインクミストを回収するミスト回収部を備えることを特徴とする請求項２に記載のインクジェットプリンタ。
【手続補正３】
【補正対象書類名】明細書
【補正対象項目名】０００１
【補正方法】変更
【補正の内容】
【０００１】
本発明は、記録紙を吸引しながら搬送する吸引プラテンを備えたプリンタに関し、さらに詳しくは、吸引プラテンが搭載されている開閉蓋を開けると記録紙の搬送路が開放状態になるプリンタに関する。
【手続補正４】
【補正対象書類名】明細書
【補正対象項目名】００１６
【補正方法】変更
【補正の内容】
【００１６】
また、本発明のインクジェットプリンタは、前記インクジェットヘッドから発生するインクミストを回収するための吸引機構が構成され、前記吸引機構は前記吸引ファンに接続されていることを特徴とする。したがって、プリンタの部品効率とスペース効率を高めることができる。
また、本発明は以下の適用例がある。
（適用例１）
プリンタ本体と、
カバーと、
吸引ファンと、
吸引プラテンと、を備え、
前記プリンタ本体に前記吸引ファンを配置し、
前記カバーに前記吸引プラテンを配置する。
（適用例２）
前記プリンタ本体に配置したインクジェットヘッドを備え、
前記カバーが閉じると、前記吸引プラテンが前記インクジェットヘッドと対向する位置へ移動する。
（適用例３）
前記プリンタ本体に配置した紙収納部を備え、
前記カバーは前記紙収納部を開閉し、
前記吸引プラテンは前記紙収納部から供給される紙を吸引する。
（適用例４）
前記吸引プラテンと前記吸引ファンの間に形成される吸引流路を備え、
前記カバーが開いた状態で、前記吸引流路が前記プリンタ本体側と前記カバー側に切り離され、
前記カバーが閉じた状態で、前記吸引流路が接続される。
（適用例５）
前記吸引流路は、前記カバーが閉じると当接するプリンタ本体側開口部と開閉蓋側開口部を備え、
前記カバーが開くと前記プリンタ本体側開口部と前記開閉蓋側開口部が離れる。
（適用例６）
前記吸引流路は、前記吸引プラテンの側方から前記紙収納部の側方を経由して形成されている。
（適用例７）
前記吸引プラテンに設けられるもので、前記インクジェットヘッドから発生するインクミストを回収するミスト回収部を備える。